(57)【要約】【課題】ディスクケースの表面に凸凹の文字、図形等の装飾を凸凹状に刻設若しくは凸状に成形したディスクケースであって、既存の自動装填機器に対応できる立体装飾付きディスクケースを提供する。【解決手段】表面の外周側縁にリブが設けられている上蓋と、底面の外周側縁にリブが設けられている下蓋と、コンパクトディスクを収納する収納部と、からなる樹脂製のディスクケースにおいて、ディスクケースの上蓋の表面および／または下蓋の表面に外周側縁のリブの高さの範囲内で文字、図形等の装飾を凸凹状に刻設若しくは凸状に成形したことを特徴とする立体装飾付きディスクケースである。【選択図】    図１
2007308149.tif 000002
【特許請求の範囲】
【請求項１】
表面の外周側縁にリブが設けられている上蓋と、底面の外周側縁にリブが設けられている下蓋と、コンパクトディスクを収納する収納台と、からなる樹脂製のディスクケースにおいて、ディスクケースの上蓋の表面および／または下蓋の表面に外周側縁のリブの高さの範囲内で文字、図形等の装飾を凸凹状に刻設若しくは凸状に成形したことを特徴とする立体装飾付きディスクケース
【請求項２】
前記凸凹状または凸状は、高さが外周側縁のリブの高さを越えることがなく、０．３〜０．５ｍｍの範囲であることを特徴とする請求項１記載の立体装飾付きディスクケース
【請求項３】
前記凸凹状または凸状は、ディスクケースを重ねて積載しＣＤを自動装填する為に機器に重ねた状態で装填できるように上蓋の表面に施す装飾が外周側縁の高さと面一であることを特徴とする請求項１記載の立体装飾付きディスクケース
【発明の詳細な説明】
【技術分野】
【０００１】
本発明は、ディスクケースの上蓋の表面に外周側縁のリブの高さの範囲内で文字、図形等を凸凹状に刻設若しくは凸状に成形した装飾の施されたディスクケースに関する。
【背景技術】
【０００２】
従来から通常用いられているディスクケースは、大量生産できるように形状が決まっており、機械で自動装填できる構造に形成されている。このディスクケースは、あくまで容器と考えられておりディスクケース自体に装飾を施すことは考えられていなかった。
近年では技術が進んで表面に文字や図形等が書き込めるようになっている。しかし、ディスクケースに装飾を施すことは手間がかかるため、収納するコンパクトディスクの盤面印刷のデザインや、同時に挿入するカードの材質やデザインに工夫を凝らす方法が多く採られている。
【０００３】
これに対し、販売するコンパクトディスクにインパクトを与え差別化を図るために、近年では従来から存在する合成樹脂製のディスクケースの形状を変えたり、着色したり、ケースの材質を変えて外面へ印刷することにより変化を付ける方法も採られてきている。しかし、このような特殊な形状や材質の場合、従来から使用している凡庸の自動装填機器では対応できず、人手を使って組み込みを行い生産をする必要があった。そのため、特殊形態のディスクケースを生産するには手間がかかり、コストも多くかかるという問題があった。そこで、従来から利用されている凡庸のディスクケース自体に自動機器への積み重ね装填に支障を来さないように装飾を立体的に付す技術の開発が待たれていた。
【０００４】
【特許文献１】特開２００５−２０６１６１号
【発明の開示】
【発明が解決しようとする課題】
【０００５】
本発明は、上記問題を解決するために、ディスクケースの表面に文字、図形等の装飾を凸凹状に刻設若しくは凸状に成形し、他のケースと差別化を図ったディスクケースであって、既存の自動装填機器に対応することができ、量産可能なディスクケースを提供することを目的とする。
【課題を解決するための手段】
【０００６】
上記目的を達成するために本発明に係る立体装飾付きディスクケースケースは、表面の外周側縁にリブが設けられている上蓋と、底面の外周側縁にリブが設けられている下蓋と、コンパクトディスクを収納する収納台と、からなる樹脂製のディスクケースであって、ディスクケースの上蓋の表面および／または下蓋の表面に外周側縁のリブの高さの範囲内で文字、図形等の装飾を凸凹状に刻設若しくは凸状に成形した構成である。
【０００７】
また、凸凹状または凸状は、高さが外周側縁のリブの高さを越えることがなく、０．３〜０．５ｍｍの範囲である構成である。更に、凸凹状または凸状は、ディスクケースを重ねて収納して自動装填機器に収容できるように上蓋の表面に施す装飾が外周側縁の高さと面一である構成でもある。
【発明の効果】
【０００８】
本発明に係る立体装飾付きディスクケースは、上記詳述した通りの構成であるので、以下のような効果を奏する、
１．文字や図形等を自由に形成し、ディスクケースの表面に凸凹状若しくは凸状を形成することにより他のディスクケースと個別化し、差別化を図ることができる。また、文字等の装飾が外周に設けられたリブの高さの範囲内に施されているので、自動装填機器による包装が可能であり、手間を省き機器による大量生産をすることが可能である。さらに、視覚だけではなく触覚によってもケースを区別することができるため別の面でも便利である。
文字として歌手のサインや似顔絵等を付けることにより、歌手毎にそれぞれサイン入りＣＤケースや顔写真入りのＣＤケースを提供することができる。ディスクケースに装飾を施すことでデザイン性が高められ、ディスクケースが単なる容器ではなくオブジェとしても使用することが可能となる。
２．０.３ｍｍ〜０.５ｍｍの限られた範囲であるため、適度な凸凹感がある。また、ディスクケースを重ねたときに表面の凸凹の刻設によってケースが浮くこともなく、従来からある通常のディスクケースと同様に陳列や収納することが可能である。
３．装飾の表面が高くなっても外周側縁の高さと画一なので既存の自動装填機器を用いてパッケージングすることができるので個別化したディスクケースでありながら同時にコストダウンを図ることもできる。また、従来のディスクケースの形態を変化することなく他のディスクケースとの差別化を図ることができる。
【発明を実施するための最良の形態】
【０００９】
以下に本発明に係るディスクケースを図面に示す実施例にしたがって詳細に説明する。
図１は本発明におけるディスクケースの斜視図である。図２は本発明のディスクケースの分解図である。
本発明のディスクケース１０は、上蓋２０と下蓋３０と収納台４０とから形成されており、ディスクケースの上蓋２０の表面２０ａに文字や図形等の装飾２５が施される構造である。
【００１０】
ディスクケースの構造は従来のものと同一であり、上蓋２０と下蓋３０は開閉自在になるように一辺が枢着されている。収納台４０は下蓋３０の中に収容されている。収納台４０に設けられたコンパクトディスクの収容部４２は、収納するディスクの形状に凹部が形成されており、凹部の中央部にディスク保持体４４が設けられている。収納台４０が組み込まれた下蓋３０に上蓋２０を被せてコンパクトディスクを収納および保護する構造となっている。
【００１１】
上蓋２０の外周側縁には一定の高さのリブ２２が設けられている。通常、リブ２２の高さは０．３ｍｍから０．５ｍｍの範囲内に設定されている。適度な高さのリブ２２を外周側縁に設けることによりディスクケース１０の上蓋表面に傷が付くのを防止することができる構造となっている。さらにリブに指を掛けてケースの開閉することも可能であり便利である。
下蓋３０の外周側縁にも同様にリブ３２が設けられており、下蓋表面に傷が付くのを防止する役割を果たしている。下蓋のリブ３２の高さも通常０．３ｍｍから０．５ｍｍの高さに設定されている。
外周側縁に一定の高さでリブが設けられているため、ディスクケースを複数重ねる際にもケース表面に傷が付くことなく、且つきれいに積み重ねることができる。これにより、自動機器に大量にケースを装填してコンパクトディスクのスムースな自動収納を可能としている。
【００１２】
表面２０ａは平面に形成されており、その平面上に凸状の文字２５が形成されている。実施例ではアルファベットの文字が創設されているが、表面に創設されるのは文字に限られず、直線や曲線からなる図形・似顔絵や模様等、好きな装飾を適宜に創設することができる。また、文字等の装飾は凸状のみならず凸凹状に形成することもできる。
凸状または凸凹状に形成される文字等の装飾は、上蓋や下蓋に用いられている合成樹脂と同じ材質で一体成形とすることが可能である。これにより個性あるディスクケースでも比較的安価に提供することが可能となる。
【００１３】
表面２０ａには、例えば人気のアーティスト等のサインを創設することもできる。人気アーティストのサインは貴重であるが、ディスクケースにサインが創設されたアーティストのコンパクトディスクを購入することで手軽にサイン入りの商品を入手することが可能となる。コンパクトディスクに挿入されているカードにアーティストのサインのコピーを掲載する方法は従来から多く採られているが、本発明ではディスクケースに凸凹状に創設することで凸凹の質感を感じることができるため、より効果的でもある。さらに、ディスクケースは触覚に訴えるだけではなく視覚的な効果も有する。そのため、店頭の陳列でも人目を引き易く販売促進の効果も有する。
また、ディスクケース１０の表面２０ａにディスクに収められたアーティスト等のサインや図形・似顔絵等の装飾を施すことにより、ディスクやディスクケースに挿入されるカードだけではなく、ディスクケース自体によっても他のディスクケースとの差別化を図ることができる。
【００１４】
下蓋３０の表面３０ａにも上述したような凸状または凸凹状の文字や図形等の装飾を刻設することも同様に可能である。便宜的に上蓋・下蓋と表現しているが、どちらも表面と考えられるので、表裏の両面にサインや図形が有効に創設されることになる。上蓋または下蓋の一方の表面にのみ文字等の装飾を創設することも可能であるが、上蓋と下蓋の両表面に文字等の装飾を創設することにより、より効果的に装飾を活用することができる。
【００１５】
ディスクケース表面又は表裏面に創設された文字、図形等の装飾は、外周に設けられたリブ２２・３２の高さに合わせて０．３から０．５ｍｍの範囲内で形成されており、リブ２２・３２の高さを越えることはない。ディスクケース表面に形成された装飾の突部の高さがリブの高さの範囲内に納まるので、既存の自動装填機器にディスクケースを積み重ねた状態で積載することが可能であり、従来のディスクケースと同様に自動機器の供給部材として立体装飾付きディスクケースを有効に積載させ量産すること可能となっている。
また、凸状若しくは凸凹状が従来から用いられているディスクケースのリブの高さと同じ若しくはそれ以下の範囲内で形成されているため違和感なく、程よい膨らみ具合に手触りよく感じられる。
【００１６】
収納部４０にはコンパクトディスクが収納される。ディスクケースに収納されるコンパクトディスクやカードと、創設された立体装飾付きディスクケースの装飾を組み合わせることにより、従来存在しなかったディスクケース表面による宣伝広告が可能となり、装飾パターンも増し、収納物とケースの一体感を出すことができ、ディスクケースのデザイン性を高め顧客の購買意欲を増進するという効果も期待できる。
【図面の簡単な説明】
【００１７】
【図１】本発明のディスクケースの斜視図
【図２】本発明のディスクケースの分解図
【符号の説明】
【００１８】
１０    ディスクケース
２０    上蓋
２０ａ  上蓋表面
２２、３２  リブ
２５    凸状文字
３０    下蓋
３０ａ  下蓋表面
４０    収納台
４２    収容部
４４    ディスク保持体
【図１】
2007308149.tif 000003
【図２】
2007308149.tif 000004